(57)【要約】【課題】目的の画像を素早く表示させること。【解決手段】画像表示方法は、モードを選択する工程、再生モードが選択された場合、複数の再生処理方法を表示する工程、前記複数の再生処理方法から選択された処理方法に従って処理を行う工程を備える。また、複数の再生処理の方法の１つは、最も新しい日付の画像を表示する処理であることが望ましい。さらには、複数の再生処理の方法の１つは、最も古い日付の画像を表示する処理であることが望ましい。【選択図】図２
2009253577.tif 000002
【特許請求の範囲】
【請求項１】
モードを選択する工程、
再生モードが選択された場合、複数の再生処理方法を表示する工程、
前記複数の再生処理方法から選択された１つの処理方法に従って処理を行う工程を備えることを特徴とする画像表示方法。
【請求項２】
前記複数の再生処理方法の１つは、最も新しい日付の画像を表示する処理であることを特徴とする請求項１に記載の画像表示方法。
【請求項３】
前記複数の再生処理方法の１つは、最も古い日付の画像を表示する処理であることを特徴とする請求項１に記載の画像表示方法。
【請求項４】
前記複数の再生処理方法の１つは、複数の画像を同時に表示する処理であることを特徴とする請求項１に記載の画像表示方法。
【請求項５】
前記複数の再生処理方法の１つは、自動的に画像を表示する処理であることを特徴とする請求項１に記載の画像表示方法。
【発明の詳細な説明】
【技術分野】
【０００１】
本発明は、画像の表示方法に関するものである。
【背景技術】
【０００２】
デジタルスチルカメラや携帯電話では、撮像装置により被写体の撮影が行われる。撮影された被写体の画像は、撮影された日時と共に記録媒体に保存される。その後、使用者が所定の操作を行うことによって再生される。
【０００３】
再生方法としては、撮影した画像が満足できるものか否かを判断できるように、撮影直後、撮影した画像を表示する方法がある（特許文献１）。
【０００４】
【特許文献１】特表２０００−５１３５４２号公報
【発明の開示】
【発明が解決しようとする課題】
【０００５】
特許文献１に開示された方法の場合、強制的に撮影直後の画像が表示されてしまう。そのため、撮影直後の画像の確認を必要としない場合、無駄な表示が行われることになる。また、最新の日付の画像を優先的に表示する方法だと、保存されている画像が多い場合、古い日付の画像を表示するまでに時間がかかるという問題がある。
【０００６】
本発明は、上記に鑑みてなされたものであって、目的の画像を素早く表示することができる表示方法を提供することを目的とする。
【課題を解決するための手段】
【０００７】
上述した課題を解決し、目的を達成するために、本発明による画像表示方法は、モードを選択する工程、再生モードが選択された場合、複数の再生処理方法を表示する工程、前記複数の再生処理方法から選択された処理方法に従って処理を行う工程を備えることを特徴とする。
【０００８】
また、前記複数の再生処理方法の１つは、最も新しい日付の画像を表示する処理であることを特徴とする。
【０００９】
また、前記複数の再生処理方法の１つは、最も古い日付の画像を表示する処理であることを特徴とする。
【００１０】
また、前記複数の再生処理方法の１つは、複数の画像を同時に表示する処理であることを特徴とする。
【００１１】
また、前記複数の再生処理方法の１つは、自動的に画像を表示する処理であることを特徴とする。
【発明の効果】
【００１２】
本発明によれば、目的の画像を素早く表示させることができる。
【発明を実施するための最良の形態】
【００１３】
以下に、本実施形態の撮像装置の実施例を図面に基づいて詳細に説明する。なお、この実施例によりこの発明が限定されるものではない。図１は、本実施形態の画像表示方法による画像表示が行われる機器を示す。本実施形態では、機器としてデジタルカメラ１を例示している。しかしながら、機器としては携帯電話や携帯端末であっても良い。
【００１４】
デジタルカメラ１は、本体部２、撮像光学系部３、表示部４、シャッターボタン５、フラッシュ６を備える。また、本体部１の内部に、撮像素子７、制御部８、処理部９、記録部１０を有する。制御部８は、撮像光学系部３、表示部４、シャッターボタン５、フラッシュ６、撮像素子７、処理部９及び記録部１０に接続されている。そして、制御部８の制御により、撮影に必要なパラメータ（絞り、シャッタースピード等）の設定、撮影の実行、撮影した画像の保存、あるいは保存された画像の処理等が行われる。
【００１５】
撮影が実行されると、撮像素子７から画像データが送出される。この画像データは記録部１０に保存される。その際、撮影した日時の情報が付与され、画像データと日付データが保存される。なお、記録部１０に画像データを保存する前に、処理部９で各種の画像処理が行われても良い。
【００１６】
次に、保存された画像データの表示について説明する。図２は、本実施形態の画像表示方法の具体的な処理を示すフローチャートである。保存している画像の中から所定の画像を表示させたい場合、表示部４に表示された複数のモードの中から、再生モードを選択する。複数のモードは、例えば、モード表示ボタンを押す操作によって、表示部４に表示させることができる。制御部８は、モード表示ボタンが押圧されたか否かをチェックする（Ｓ１）。モード表示ボタンが押圧されたことを検出すると、制御部８は、再生モードを含む複数のモードを表示部４に表示する（Ｓ２）。
【００１７】
撮影者は、複数のモードが表示部４に表示された状態で、再生モードを選択する。再生モードの選択は、例えば、カーソル操作ボタンを操作して、再生モードが表示されている位置にカーソルを移動させれば良い。そして、決定ボタンを押すことで、再生モードの選択が行われる。制御部８は、決定ボタンが押圧されたことを検出すると（Ｓ３）、モード情報を取得する（Ｓ４）。
【００１８】
制御部８は、どのモードが選択されたのかを判断する（Ｓ５）。モード情報が再生モードの場合、複数の再生処理方法を表示部４に表示する（Ｓ６）。再生処理方法の具体例としては、（１）最も新しい日付の画像を表示する処理、（２）最も古い日付の画像を表示する処理、（３）複数の画像を同時に表示する処理（サムネイル表示）、（４）自動的に画像を表示する処理である。
【００１９】
撮影者は、複数の再生処理方法が表示部４に表示された状態で、希望する再生処理方法を選択する。再生処理方法の選択は、例えば、カーソル操作ボタンを操作して、希望する再生処理方法が表示されている位置にカーソルを移動させれば良い。そして、決定ボタンを押すことで、再生処理方法の選択が行われる。制御部８は、決定ボタンが押圧されたことを検出すると（Ｓ７）、再生処理方法の情報を取得する（Ｓ８）。制御部８は、どの再生処理方法が選択されたのかを判断した後、選択された再生処理方法を実行する（Ｓ９）。
【００２０】
なお、上記の例では、再生処理方法が選択された時に、表示の処理が行われる。例えば、表示部４で（１）最も新しい日付の画像を表示する処理を選択した時に、最も新しい日付の画像が表示される。しかしながら、これでは、毎回、複数の表示処理方法を表示させなくては、画像の再生処理が行われないことになる。
【００２１】
そこで、ステップＳ１からステップＳ８までの処理を、初期設定の処理とするようにしても良い。すなわち、ステップＳ８で取得した再生処理方法の情報を、デフォルトの情報として記憶しておく。そして、ステップ５で再生モードの選択を検出したら、デフォルトの情報（再生処理方法）に基づいて画像の再生を行うようにする。このようにすれば、毎回、複数の表示処理方法のなかから１つの表示処理方法を選択する必要がなくなる。
【００２２】
なお、本発明は、その趣旨を逸脱しない範囲で様々な変形例をとることができる。
【図面の簡単な説明】
【００２３】
【図１】本発明の画像表示方法による画像表示が行われる機器を示す図である。
【図２】本発明の画像表示方法の具体的な処理を示すフローチャートである。
【符号の説明】
【００２４】
１      デジタルカメラ
２      本体部
３      撮像光学系部
４      表示部
５      シャッターボタン
６      フラッシュ
７      撮像素子
８      制御部
９      処理部
１０    記録部
【図１】
2009253577.tif 000003
【図２】
2009253577.tif 000004